(57)【要約】【課題】１枚の葉書により複数の相手に対して、秘密性を有する情報を隠蔽状態で送ることを可能にした情報隠蔽葉書を提供する。【解決手段】葉書本体用片と葉書貼付用片とがミシン線を介して連接され、前記ミシン線から前記葉書本体用片と前記葉書貼付用片が折り畳まれて剥離可能に接着されてなる情報隠蔽葉書であって、前記葉書貼付用片には、前記ミシン線に対して垂直方向に複数のミシン線が形成され、前記複数のミシン線により該葉書貼付用片が複数の分割片に切り取り可能に設けられ、前記葉書貼付用片が折り畳まれる内面側であって、前記複数の分割片にそれぞれ異なる相手先に通知するための表示情報が設けられていることを特徴とする。【選択図】        図６
2004167769.tif 000002
【特許請求の範囲】
【請求項１】
葉書本体用片と葉書貼付用片とがミシン線を介して連接され、前記ミシン線から前記葉書本体用片と前記葉書貼付用片が折り畳まれて剥離可能に接着されてなる情報隠蔽葉書であって、
前記葉書貼付用片には、前記ミシン線に対して垂直方向に複数のミシン線が形成され、前記複数のミシン線により該葉書貼付用片が複数の分割片に切り取り可能に設けられ、前記葉書貼付用片が折り畳まれる内面側であって、前記複数の分割片にそれぞれ異なる相手先に通知するための表示情報が設けられていることを特徴とする情報隠蔽葉書。
【請求項２】
前記相手先が、葉書の宛先人の家族であって、前記表示情報が秘密性を有する情報であることを特徴とする請求項１記載の情報隠蔽葉書。
【請求項３】
前記秘密性を有する情報が、暗証番号であることを特徴とする請求項２記載の情報隠蔽葉書。
【請求項４】
前記葉書貼付用片の一部には、前記分割片を切り取るための切取用片がミシン線を介して設けられている特徴とする請求項１記載の情報隠蔽葉書。
【請求項５】
前記葉書本体用片と前記葉書貼付用片とが、２つ折り状態で折り畳まれていることを特徴とする請求項１記載の情報隠蔽葉書。
【請求項６】
前記葉書本体用片と前記葉書貼付用片とが、３つ折り状態で折り畳まれていることを特徴とする請求項１記載の情報隠蔽葉書。
【請求項７】
前記葉書本体用片には、前記複数の分割片に設けられた表示情報を通知する相手先の個人名が、各分割片に対応する領域にそれぞれ表示されていることを特徴とする請求項１記載の情報隠蔽葉書。
【発明の詳細な説明】
【０００１】
【発明の属する技術分野】
本発明は、葉書本体用片と葉書貼付用片とがミシン線を介して連接され、前記ミシン線から前記葉書本体用片と前記葉書貼付用片が折り畳まれて剥離可能に接着されてなる情報隠蔽葉書に関するものである。
【０００２】
【従来の技術】
従来より、葉書本体用片と葉書貼付用片とがミシン線を介して連接され、前記ミシン線から前記葉書本体用片と前記葉書貼付用片が折り畳まれて剥離可能に接着されてなる情報隠蔽葉書は既に知られており、第三者に対して秘密性を有する情報を通知する際などに使用されている。（例えば、特許文献１参照）
【０００３】
例えば、パソコンや携帯電話などによりインターネットを介してメール通信を行なう場合には、本人を証明するための暗証番号等の秘密情報を定めることで、第三者がメールを勝手に見ることができないようにしているが、これらのメールを初めて行なう時には、通信管理会社から利用者に対して暗証番号を確認するための通知を行なう場合がある。
しかしながら、家族で申込み家族各人毎に暗証番号を定め、これを通知する場合には、１枚の情報隠蔽葉書で通知すると家族各人毎の暗証番号が本人以外の家族にも知られてしまい、プライバシーが保護されないという問題がある。
【０００４】
また、家族各人毎に対して、情報隠蔽葉書により暗証番号を通知した場合には、葉書料金や郵便料金のコストが大きくなり、通信管理会社における経費負担や処理上の手間が大変になるという問題がある。
【０００５】
【特許文献１】
特開平８−２５８４８号公報
【０００６】
【発明が解決しようとする課題】
本発明は、１枚の葉書により複数の相手に対して、秘密性を有する情報を隠蔽状態で送ることを可能にした情報隠蔽葉書を提供する。
【０００７】
【課題を解決するための手段】
本発明の情報隠蔽葉書は、葉書本体用片と葉書貼付用片とがミシン線を介して連接され、前記ミシン線から前記葉書本体用片と前記葉書貼付用片が折り畳まれて剥離可能に接着されてなる情報隠蔽葉書であって、前記葉書貼付用片には、前記ミシン線に対して垂直方向に複数のミシン線が形成され、前記複数のミシン線により該葉書貼付用片が複数の分割片に切り取り可能に設けられ、前記葉書貼付用片が折り畳まれる内面側であって、前記複数の分割片にそれぞれ異なる相手先に通知するための表示情報が設けられていることを特徴とする。
【０００８】
また、本発明の情報隠蔽葉書は、前記相手先が、葉書の宛先人の家族であって、前記表示情報が秘密性を有する情報であることを特徴とする。
そして、前記秘密性を有する情報が、暗証番号であることを特徴とする。
【０００９】
更に、本発明の情報隠蔽葉書は、前記葉書貼付用片の一部には、前記分割片を切り取るための切取用片がミシン線を介して設けられている特徴とする。
【００１０】
また、本発明の情報隠蔽葉書は、前記葉書本体用片と前記葉書貼付用片とが、２つ折り状態で折り畳まれていることを特徴とする。
【００１１】
更に、本発明の情報隠蔽葉書は、前記葉書本体用片と前記葉書貼付用片とが、３つ折り状態で折り畳まれていることを特徴とする。
【００１２】
また、本発明の情報隠蔽葉書は、前記葉書本体用片には、前記複数の分割片に設けられた表示情報を通知する相手先の個人名が、各分割片に対応する領域にそれぞれ表示されていることを特徴とする。
【００１３】
【発明の実施の形態】
以下、本発明の実施の形態を図面に基づいて詳細に説明する。
図１は、本発明の第１実施形態に係る情報隠蔽葉書を作成するメールフォームの平面図、図２は、図１のＡ−Ａ線断面図、図３は、本発明の第１実施形態に係る情報隠蔽葉書の表側を示す斜視図、図４は、本発明の第１実施形態に係る情報隠蔽葉書の裏側を示す斜視図、図５は、本発明の第１実施形態に係る情報隠蔽葉書の裏側を示し、葉書貼付用片の一部を切り取った状態を示す斜視図、図６は、本発明の第１実施形態に係る情報隠蔽葉書の裏側を示し、葉書貼付用片の分割片を切り取った状態を示す斜視図、図７は、本発明の第２実施形態に係る情報隠蔽葉書を作成するメールフォームの斜視図、図８は、本発明の第１実施形態に係る情報隠蔽葉書の裏側を示し、葉書貼付用片の分割片を切り取った状態を示す斜視図である。
【００１４】
本発明の第１実施形態に係る情報隠蔽葉書１は、図１に示すメールフォーム１ａにより作成される。
このメールフォーム１ａは、縦方向に形成された折り畳み用のミシン線２ａと折り畳み兼切り取り用のミシン線２ｂを介して、３つの単位紙片３，４，５が横方向に連接された用紙６からなる。
この用紙６は、ミシン線２ａとミシン線２ｂからＺ字状に３つ折りに折り畳むことで、３つの単位紙片３，４，５を重ね合わせて葉書大のサイズとなる寸法を有している。
メールフォーム１ａを３つに折り畳んで接着させた場合、郵便法上では、２枚の単位紙片３，４が接着されて葉書本体用片となり、他の１枚の単位紙片５が葉書貼付用片となり、葉書本体用片に剥離可能に貼付された葉書貼付用片により秘密情報が隠蔽されて通知されることになる。
【００１５】
葉書貼付用片である単位紙片５には、ミシン線２ｂに対して垂直方向に３本のミシン線２ｃが形成され、前記各々のミシン線２ｃにより該葉書貼付用片が４つの分割片５ａに切り取り可能に設けられている。
この場合には、受取人の家族の４人に対して秘密情報を郵送する場合の例を示しており、秘密情報を郵送する人数に応じて、葉書貼付用片に形成するミシン線２ｃの数を変更することで、分割片５ａの数を変更することができる。
更に、葉書貼付用片である単位紙片５の端辺側には、その端辺と平行に切取用のミシン線２ｄが形成され、ミシン線２ｄと端辺との間に切取用片５ｂが設けられている。
【００１６】
図２に示すように、メールフォーム１ａの表裏面には、剥離可能な擬似接着層７，８が形成されており、メールフォーム１ａをミシン線２ａとミシン線２ｂからＺ字状に折り畳んで加圧することで、図３に示すように、重なり合う擬似接着層７，８同士が密着面で剥離可能な状態で擬似接着できるように構成されている。
【００１７】
剥離可能な擬似接着層７，８に使用される感圧粘着剤は、密着面の密着及び再剥離を容易にするように調整されており、以下に説明する粘着主剤、粘着力調整剤、添加物等が以下の割合で混合されている。
粘着主剤              １００重量部
粘着力調整剤
針状物質の場合        １０〜１００（好ましくは１０〜５０）重量部
微粒状物質の場合      ０〜５０（好ましくは５〜３０）重量部
上記両物質混合の場合  １０〜１００重量部
添加物
ワックス              ０．０１〜２０重量部
紫外線吸収剤          微量
消泡剤                微量
消泡助剤              微量
エマルジョン化成分
水                    １００〜５００（好ましくは２００〜３００）重量部
乳化剤                    ０．５〜２重量部
樹脂                      １〜５０重量部
【００１８】
粘着主剤は、天然ゴム（ＮＲ）、エステル化天然ゴム、スチレンブタジエンゴム（ＳＢＲ）、クロロプレンゴム、ポリ酢酸ビニル、ポリメチルメタクリレート（ＰＭＭＡ）等が挙げられ、または、これらの混合物が挙げられる。
これらの粘着主剤の混合にあたっては、その混合割合を適宜調整することによって、感圧粘着剤同士の自着性を保持しつつ、基材との密着性を自着性より大きくすることができる。
【００１９】
好ましくは、加圧によって感圧粘着剤同士の自着性を発現する性質の高い天然ゴムに、基材との密着性、即ちアンカー効果を高める目的でポリメチルメタクリレートやスチレンブタジエンゴムを添加したものが挙げられる。
ポリメチルメタクリレートは単独で用いるより、他の粘着主剤と混合して用いるとよい。
このような粘着主剤は、通常粒径０．１μｍ〜３μｍ程度の微粒状のものが使用される。
【００２０】
粘着力調整剤は、粘着主剤の粘着力を調整するために混合され、針状物質若しくは微粒状物質又はこれらの混合物が用いられる。
また、針状物質としては、無機物質、有機物質のいずれでもよく、その形状が略針状であればよく、偏平状、螺旋状、鱗片状等の様々な形態を持つものから任意に選択されるが、針状物質が特に好適である。
針状物質として、平均長さは１０μｍ〜２０μｍ、また平均径としては０．２μｍ〜０．５μｍ程度のものが好ましい。
針状物質は、感圧粘着剤をエマルジョンとし、塗布剤とした時の沈降性を低くするために見掛け比重が０．０５〜０．６のものが好ましい。
【００２１】
微粒状物質は、マイクロシリカ、合成ゼオライト、活性アルミナゲル、炭酸カルシウム、酸化亜鉛、酸化チタン、タルク、クレー、カオリン、活性白土、アクリルビーズ、澱粉、セルロース、シラスバルーン等が挙げられ、その粒径は、１０ｍμｍ〜３０μｍ、好ましくは０．５μｍ〜１０μｍの範囲にあるものが好適である。
また、針状物質と共に添加することにより、微粒状物質の添加量を少なくすることができると共に微粒状物質の粉落ちを防止することができる。
【００２２】
添加物として、ハンドリング性、ＮＩＰの搬送性能等の滑り性向上又は耐ブロッキング性向上のために、ポリエチレンワックス、カルナウバワックス等のワックス類、劣化防止のために、アンモニア、エタノールアミン等の紫外線吸収剤などを添加してもよい。
また、消泡剤として、非イオン系界面活性剤、アニオン系界面活性剤（鉱物油系）を添加したり、さらに、消泡助剤として、シリカ等を添加してもよい。
【００２３】
前述した粘着主剤、粘着力調整剤、添加物は、水等の媒体に分散してエマルジョン状態で基材に塗布される。
エマルジョン化の際には、必要に応じて乳化剤が添加される。乳化剤としては、オレイン酸石鹸、ひまし油カリウム石鹸、カゼイン、にかわ、ゼラチン等を使用できる。
また、エマルジョン化したときの粘着主剤の２次凝集防止のために、粘着主剤と親和性を有しない樹脂を添加することができる。
この樹脂としては、水分散性高分子ポリエステル、熱可塑性エラストマー、また、低密度ポリエチレン等の低分子ポリエチレン、アイオノマー、酢酸ビニル−オレフィン共重合体等が好適に使用できる。
【００２４】
このような感圧粘着剤の塗布量は、乾燥後で０．１ｇ／ｍ２〜１０ｇ／ｍ２、好ましくは１．０ｇ／ｍ２〜３．０ｇ／ｍ２が好ましい。
この範囲内であれば、感圧粘着剤上から印刷あるいは印字した時にインキが感圧粘着剤中を透過し、基材にまで到達させることができ、剥離した場合の印字層の転移を防止できる。
更には、ブロッキング、パイリング（粉落ち）等も防止でき、充分な密着性と印字性が得られる。
【００２５】
また、葉書貼付用片である単位紙片５の各々の分割片５ａには、情報隠蔽葉書１を郵送する宛先人の各々の家族に通知するための暗証番号からなる表示情報９が印字されている。
これらの表示情報９は、家族であっても各人本人だけに通知するための秘密性を有する情報であり、本人以外が見られないように分割片５ａを葉書本体用片に剥離可能に接着して隠蔽状態にすることができる。
【００２６】
更に、葉書本体用片の単位紙片４の表面には、分割片５ａと重ならない部分に暗証番号からなる表示情報９を通知する相手の名前１０が、各々の分割片５ａに対応するように印字してある。
また、葉書本体用片の単位紙片３の表面には、葉書の宛先人の宛名１１が印字されている。
【００２７】
情報隠蔽葉書１は、図３及び図４に示す状態で郵送され、受取人が情報隠蔽葉書１を受け取った後に、まず図５に示すように、切取用のミシン線２ｄから切取用片５ｂを切り取る。
切取用片５ｂを切り取ると、葉書本体用片の単位紙片４の表面に暗証番号を通知する相手の名前１０が表示されているのを見られる状態になる。
そして、受取人の家族は、自分の名前１０が表示されている部分に該当する分割片５ａを、ミシン線２ｃ及びミシン線２ａとから切り取り、分割片５ａに表示されている暗証番号を本人だけが見ることができるようにしてある。
【００２８】
次に、本発明の第２実施形態に係る情報隠蔽葉書２０を、図７及び図８に基づいて説明する。
本発明の第２実施形態に係る情報隠蔽葉書２０は、図７に示すメールフォーム２０ａにより作成される。
このメールフォーム２０ａは、横方向に形成された折り畳み用のミシン線２１を介して、２つの単位紙片２２，２３が縦方向に連接された用紙２４からなる。
この用紙２４は、ミシン線２１から２つ折りに折り畳むことで、２つの単位紙片２２，２３を重ね合わせて葉書大のサイズとなる寸法を有している。
メールフォーム２０ａを２つに折り畳んで接着させた場合、郵便法上には、単位紙片２２が葉書本体用片となり、他の１枚の単位紙片２３が葉書貼付用片となり、葉書本体用片に剥離可能に貼付された葉書貼付用片により秘密情報が隠蔽されて通知することができる。
【００２９】
葉書貼付用片である単位紙片２３には、ミシン線２１に対して垂直方向に３本のミシン線２４が形成され、前記各々のミシン線２４により該葉書貼付用片が４つの分割片２５に切り取り可能に設けられている。
メールフォーム２４の少なくとも表面には、剥離可能な擬似接着層が形成されており、メールフォーム２４をミシン線２１から折り畳んで加圧することで、図８に示すように、重なり合う擬似接着層同士が密着面で剥離可能な状態で擬似接着できるように構成されている。
【００３０】
また、葉書貼付用片である単位紙片２３の各々の分割片２５には、情報隠葉書２４を郵送する宛先人の各々の家族に通知するための暗証番号からなる表示情報２６が印字されている。
これらの表示情報２６は、家族であっても各人本人だけに通知するための秘密性を有する情報であり、本人以外が見られないように分割片２５を葉書本体用片に剥離可能に接着して隠蔽状態にすることができる。
【００３１】
【発明の効果】
以上説明したように、本発明の情報隠葉書は、１枚の葉書に秘密性を有する情報が表示された複数の分割片が剥離可能な状態で貼付されているので、複数の相手に対して１枚の葉書で秘密情報を隠蔽状態で送れると共に、本人だけ対してそれらの秘密情報を伝えることができるという効果がある。
特に、複数の分割片に葉書の宛先人の家族に対する秘密性を有する情報を表示することで、家族を構成する各個人毎のプライバシーを保護することができるという効果がある。
【００３２】
また、葉書貼付用片の一部に分割片を切り取るための切取用片をミシン線を介して設けることで、受取人が葉書を受け取る前にも第三者からの秘密性を保持させることができる。
【図面の簡単な説明】
【図１】本発明の第１実施形態に係る情報隠蔽葉書を作成するメールフォームの平面図である。
【図２】図１のＡ−Ａ線断面図である。
【図３】本発明の第１実施形態に係る情報隠蔽葉書の表側を示す斜視図である。
【図４】本発明の第１実施形態に係る情報隠蔽葉書の裏側を示す斜視図である。
【図５】本発明の第１実施形態に係る情報隠蔽葉書の裏側を示し、葉書貼付用片の一部を切り取った状態を示す斜視図である。
【図６】本発明の第１実施形態に係る情報隠蔽葉書の裏側を示し、葉書貼付用片の分割片を切り取った状態を示す斜視図である。
【図７】本発明の第２実施形態に係る情報隠蔽葉書を作成するメールフォームの斜視図である。
【図８】本発明の第１実施形態に係る情報隠蔽葉書の裏側を示し、葉書貼付用片の分割片を切り取った状態を示す斜視図である。
【符号の説明】
１  本発明の第１実施形態に係る情報隠蔽葉書
１ａ，２０ａ  メールフォーム
２ａ，２ｂ，２ｃ，２ｄ，２１，２４  ミシン線
３，４，５，２２，２３  単位紙片
５ａ，２５  分割片
５ｂ  切取用片
６  用紙
７，８  剥離可能な擬似接着層
９，２６  表示情報
１０  名前
１１  宛名
【図１】
2004167769.tif 000003
【図２】
2004167769.tif 000004
【図３】
2004167769.tif 000005
【図４】
2004167769.tif 000006
【図５】
2004167769.tif 000007
【図６】
2004167769.tif 000008
【図７】
2004167769.tif 000009
【図８】
2004167769.tif 000010